(57)【要約】【課題】コップ等の広口の筒状容器またはペットボトル等の狭口の筒状容器のいずれであっても安定的に保持して水切り可能な筒状容器の水切り保持構造および、該筒状容器の水切り保持構造を備えた水切り具（例えば、水切りスタンドや水切り籠）を得ることを目的とする。【解決手段】本発明に係る筒状容器の水切り保持構造１は、コップのような広口の筒状容器及びペットボトルのような狭口の筒状容器を倒立状態で保持して水切りをする筒状容器の水切り保持構造であって、前記広口の筒状容器に挿入可能な間隔を離して配置された一対の逆U字部５と、一対の逆U字部５の先端側辺１１の下端同士を連結する連結部２５ａとを有し、一対の逆U字部５の他方の基端側辺９が他の構造物に取り付け可能になっていると共に、前記各逆Ｕ字部５の少なくとも一方は前記狭口の筒状容器が挿入可能になっていることを特徴とするものである。【選択図】  図１
2014104103.tif 000002
【特許請求の範囲】
【請求項１】
コップのような広口の筒状容器及びペットボトルのような狭口の筒状容器を倒立状態で保持して水切りをする筒状容器の水切り保持構造であって、
前記広口の筒状容器に挿入可能な間隔を離して配置された一対の屈曲部と、該一対の屈曲部の一方の各辺部の下端同士を連結する連結部とを有し、前記一対の屈曲部の他方の各辺部が他の構造物に取り付け可能になっていると共に、前記各屈曲部の少なくとも一方は前記狭口の筒状容器が挿入可能になっていることを特徴とする筒状容器の水切り保持構造。
【請求項２】
先端に前記連結部を有する一対の線部材の先端側を、先端から所定の位置で折り返すように屈曲して前記一対の屈曲部を形成してなることを特徴とする請求項１記載の筒状容器の水切り保持構造。
【請求項３】
前記屈曲部の屈曲角度が180°未満であることを特徴とする請求項１又は２記載の筒状容器の水切り保持構造。
【請求項４】
請求項１乃至３のいずれか一項に記載の筒状容器の水切り保持構造を備えたことを特徴とする水切り具。
【請求項５】
前記水切り具は、前記水切り保持構造を備えた水切り保持部を複数有し、これら複数の水切り保持部を２列に並べて配置し、これら２列の水切り保持部の間にまな板を横又は縦方向に立てた状態で保持するまな板保持部が設けられていることを特徴とする請求項４記載の水切り具
【請求項６】
前記水切り具は、底部と該底部を囲んで立設する複数の側部を備えることで水切り籠としての機能を有し、前記側部の少なくとも１つに前記筒状容器の水切り保持構造を備えた水切り保持部が設けられていることを特徴とする請求項４記載の水切り具。
【請求項７】
前記水切り保持構造における前記他方の各辺部が外方に向かって傾斜配置され、かつ前記屈曲部の屈曲角度が180°以上であることを特徴とする請求項６記載の水切り具。
【発明の詳細な説明】
【技術分野】
【０００１】
本発明は、コップやペットボトル等の筒状容器を倒立状態で保持して水切りをする筒状容器の水切り保持構造、および該筒状容器の水切り保持構造を備えた水切り具に関する。
【背景技術】
【０００２】
コップやペットボトル等の筒状容器を倒立状態で保持して水切りを行う水切り具としては、例えば、特許文献１に開示されたコップスタンドがある。
また、ペットボトル等の狭口の筒状容器の水切りを行うものとして、特許文献２に開示された水切り乾燥スタンドがある。
また、種々の筒状容器の水切りを行うものとしては、特許文献３に開示された水切り乾燥具がある。
【０００３】
近年ではペットボトル使用の増加に伴い、使用者によってはコップの水切りに加えてペットボトルの水切りも行いたいという要求がある。そこで、コップとペットボトルのいずれであっても水切りを行うことができる水切り具が求められている。
【先行技術文献】
【特許文献】
【０００４】
【特許文献１】意匠登録第９７０１０６号公報
【特許文献２】特開２００２−２９１６２９号公報
【特許文献３】特開２００２−０１７６４９号公報
【発明の概要】
【発明が解決しようとする課題】
【０００５】
しかし、特許文献１のコップスタンドはコップ専用のものであり、口の狭いペットボトルには使用できない。
また、特許文献２の水切り乾燥スタンドは、ベースの上面に棒状突起体を立設したものであり、ペットボトルを逆さに向けて飲み口を棒状突起体に挿入してペットボトルを倒立状態で保持するというものである。
この水切り乾燥スタンドは、ペットボトルのような狭口の容器に特化したものであり、棒状突起体の長さは、棒状突起体が挿入されるペットボトル等の口部の長さよりも少し長い程度である（特許文献２の図５参照）。そのため、仮に、コップの水切りに使用しようとしてコップを逆さに向けてベースに載置すると棒状突起体を単に覆うことになり、棒状突起体をコップの安定保持のために機能させることができない。
【０００６】
特許文献３の水切り乾燥具は、水切り孔が設けられたプレートに突起棒を立設したものであり、コップやペットボトル等種々の筒状容器の水切りを行うことができるが、細い棒状の突起棒を筒状容器内に挿入しているにすぎず、安定的に保持できないという問題がある。
【０００７】
本発明は、上記のような問題を解決するためになされたものであり、コップ等の広口の筒状容器またはペットボトル等の狭口の筒状容器のいずれであっても安定的に保持して水切り可能な筒状容器の水切り保持構造および該筒状容器の水切り保持構造を備えた水切り具（例えば、コップスタンドや水切り籠）を得ることを目的とする。
【課題を解決するための手段】
【０００８】
（１）本発明に係る筒状容器の水切り保持構造は、コップのような広口の筒状容器及びペットボトルのような狭口の筒状容器を倒立状態で保持して水切りをする筒状容器の水切り保持構造であって、
前記広口の筒状容器に挿入可能な間隔を離して配置された一対の屈曲部と、該一対の屈曲部の一方の各辺部の下端同士を連結する連結部とを有し、前記一対の屈曲部の他方の各辺部が他の構造物に取り付け可能になっていると共に、前記各屈曲部の少なくとも一方は前記狭口の筒状容器が挿入可能になっていることを特徴とするものである。
なお、コップのような広口の筒状容器とは、コップ及びコップ以外の水筒やミニボトル等を含む趣旨である。
また、ペットボトルのような狭口の筒状容器とは、ペットボトルを含みこれ以外のペットボトルのような口部の筒状容器を含む趣旨である。
【０００９】
（２）また、上記（１）に記載のものにおいて、先端に前記連結部を有する一対の線部材の先端側を、先端から所定の位置で折り返すように屈曲して前記一対の屈曲部を形成してなることを特徴とするものである。
【００１０】
（３）また、上記（１）又は（２）に記載のものにおいて、前記屈曲部の屈曲角度が180°未満であることを特徴とするものである。
【００１１】
（４）本発明に係る水切り具は、上記（１）乃至（３）のいずれかに記載の筒状容器の水切り保持構造を備えたことを特徴とするものである。
【００１２】
（５）また、上記（４）に記載のものにおいて、前記水切り具は、前記水切り保持構造を備えた水切り保持部を複数有し、これら複数の水切り保持部を２列に並べて配置し、これら２列の水切り保持部の間にまな板を横又は縦方向に立てた状態で保持するまな板保持部が設けられていることを特徴とするものである。
【００１３】
（６）また、上記（４）に記載のものにおいて、前記水切り具は、底部と該底部を囲んで立設する複数の側部を備えることで水切り籠としての機能を有し、前記側部の少なくとも１つに前記筒状容器の水切り保持構造を備えた水切り保持部が設けられていることを特徴とするものである。
【００１４】
（７）また、上記（６）に記載のものにおいて、前記水切り保持構造における前記他方の各辺部が外方に向かって傾斜配置され、かつ前記屈曲部の屈曲角度が180°以上であることを特徴とするものである。
【発明の効果】
【００１５】
本発明においては、先端部がＵ字状に屈曲された線部材の先端部を、先端から所定の位置で下方に160°以上屈曲して一対の逆Ｕ字部を形成していることにより、簡易な構造でありながら、コップ等の広口の筒状容器、またはペットボトル等の狭口の筒状容器のいずれであっても安定的に保持して水切りを行うことができる。
【図面の簡単な説明】
【００１６】
【図１】本発明の実施の形態に係る筒状容器の水切り保持構造の斜視図である。
【図２】本発明の実施の形態に係る筒状容器の水切り保持構造の正面図である。
【図３】本発明の実施の形態に係る筒状容器の水切り保持構造の側面図である。
【図４】本発明の水切り保持構造の他の態様の側面図である。
【図５】本発明の実施の形態に係る筒状容器の水切り保持構造を備えたコップスタンドの斜視図である。
【図６】図５に示すコップスタンドの一部を抜き出して説明する説明図であって、本発明の実施の形態に係る筒状容器の水切り保持構造をコップスタンドに適用する際の形状例である。
【図７】本発明の実施の形態に係る筒状容器の水切り保持構造を備えたコップスタンドの正面図である。
【図８】本発明の実施の形態に係る筒状容器の水切り保持構造を備えたコップスタンドの側面図である。
【図９】本発明の実施の形態に係る筒状容器の水切り保持構造を備えたコップスタンドの使用状態を説明する説明図である（その１）。
【図１０】本発明の実施の形態に係る筒状容器の水切り保持構造を備えたコップスタンドの使用状態を説明する説明図である（その２）。
【図１１】本発明の実施の形態に係る筒状容器の水切り保持構造を備えたコップスタンドの使用状態を説明する説明図である（その３）。
【図１２】本発明の実施の形態に係る筒状容器の水切り保持構造を備えた水切り籠の斜視図である。
【図１３】図１２に示す水切り籠の一部を抜き出して説明する説明図であって、本発明の実施の形態に係る筒状容器の水切り保持構造を水切り籠に適用する際の形状例である（その１）。
【図１４】図１２に示す水切り籠の一部を抜き出して説明する説明図であって、本発明の実施の形態に係る筒状容器の水切り保持構造を水切り籠に適用する際の形状例である（その２）。
【図１５】本発明の実施の形態に係る筒状容器の水切り保持構造を備えた水切り籠の平面図である。
【図１６】本発明の実施の形態に係る筒状容器の水切り保持構造を備えた水切り籠の正面図である。
【図１７】水切り籠の他の態様の水切り籠の斜視図であって、該水切り籠の使用状態を説明する説明図である。
【図１８】図５〜図１１に示すコップスタンドの六面図である。
【図１９】図１２〜図１６に示す水切り籠の六面図である。
【発明を実施するための形態】
【００１７】
［実施の形態１］
本発明の一実施の形態に係る筒状容器の水切り保持構造１（以下、単に「水切り保持構造１」という）について、図１〜図４に基づいて説明する。
水切り保持構造１は、図１に示すように、先端が円弧上に屈曲された円弧部３（本発明の「連結部」に相当する）を有する線部材の先端側を先端から所定の位置で折り返すように屈曲して一対の逆Ｕ字部５（本発明の「一対の屈曲部」に相当する）を形成してなる。なお、以下の説明で逆Ｕ字部５の２つの辺のうち、基部側を基部側辺９（本発明の「一対の屈曲部の他方の各辺部」に相当する）、先端側を先端側辺１１（本発明の「一対の屈曲部の一方の各辺部」に相当する）という。
【００１８】
水切り保持構造１の下部は、水切り保持構造１を水切り具に取り付けて支持する取付支持部になっている。取付支持部は、図１〜図４では図示を省略しているが、様々な水切り具（例えば、コップスタンド２１（図５参照）や水切り籠５１（図７参照））に応じて様々な形状にすることができる。そのため、水切り保持構造１は取付支持部を適宜変更することで様々な水切り具に適用可能である。この点については、後に詳細に説明する。
【００１９】
一対の逆Ｕ字部５の間隔Ｗ1（図２参照）は、コップ、水筒、ミニボトル等の広口の筒状容器の内径よりも狭く設定され（８０ｍｍ以下）、一対の逆Ｕ字部５にコップを被せて倒立保持可能になっている。もっとも、間隔Ｗ1を狭くしすぎると、コップを支持する際の安定性が損なわれるので、３０ｍｍ以上に設定するのが好ましい。
逆Ｕ字部５の上端から基部側辺９の下端までの長さＬ1（図２参照）は、例えばコップの深さと同程度かそれ以上の長さに設定されており、一対の逆Ｕ字部５にコップを逆さに向けて被せたときに、逆Ｕ字部５の先端がコップの底部に当接して、コップの口部を浮かした状態で保持可能になっている。
【００２０】
逆Ｕ字部５の上端部の幅Ｗ2は一般的なペットボトルの口径（２２ｍｍ）よりも狭く設定されている（図３参照）。逆Ｕ字部５の上端から先端側辺１１の下端までの長さＬ2（図２参照）はペットボトルの口部の長さよりも十分長く設定することで、ペットボトルを安定的に保持することができる。例えば、２０ｍｍ以上に設定するのが好ましい。
【００２１】
先端側辺１１の屈曲角度θは、160°以上180°未満に設定されている。ここで、屈曲角度θとは、図３に示すとおり、円弧部３を有する線部材の先端側を折り返すように屈曲して逆Ｕ字部５を形成した際の屈曲角度であり、基部側辺９と先端側辺１１の延長線が成す角度として求めることができる。なお、仮に屈曲角度θが180°の場合は、基部側辺９と先端側辺１１は平行になる。
【００２２】
上述したとおり、逆Ｕ字部５の上端部の幅Ｗ2は一般的なペットボトルの口径よりも狭く設定され、また、先端側辺１１の屈曲角度θは160°以上であるため、逆Ｕ字部５の上端部から少し下がった位置においても、上端部の幅Ｗ2とさほど変わらない幅になっているため、逆Ｕ字部５をペットボトル内にある程度の深さまで挿入することが可能になっており、ペットボトルを安定保持できる。
【００２３】
また、先端側辺１１の屈曲角度θは180°未満であるため、逆Ｕ字部５は上部から下部にかけて徐々に広がるように形成されており、ペットボトルの口部が基部側辺９及び先端側辺１１に当接した後、さらにペットボトルを押し込むことで先端側辺１１が撓んで基部側辺９と先端側辺１１の間隔が狭まり、ペットボトルの口部が基部側辺９と先端側辺１１によって内側から押圧され、ペットボトルをより強固に安定保持することができる。この意味で、逆Ｕ字部５には弾性力があるのが好ましい。
また、逆Ｕ字部５は上部から下部にかけて徐々に広がるように形成されることで、ペットボトルの口径の小さいものから大きいものまで対応可能になっている。
【００２４】
以上のように、水切り保持構造１は、簡単な構造でありながら、コップ等の広口の筒状容器、またはペットボトル等の狭口の筒状容器のいずれであっても安定的に保持して水切りを行うことができる。
【００２５】
なお、上記では、先端側辺１１の屈曲角度θは180°未満に設定されている例（図３参照）を示したが、図４に示すように、屈曲角度θは180°以上であってもよい。この場合、逆Ｕ字部５がペットボトル内に深く挿入されるため、ペットボトルを安定的に保持可能である。
したがって、屈曲角度θが１８０°以上のものを含めると、屈曲角度θの好ましい角度としては１６０°〜２００°である。
【００２６】
なお、上記の説明では、先端が円弧上に屈曲された円弧部３を有する線部材の先端側を先端から所定の位置で折り返すように屈曲して一対の逆Ｕ字部５を形成してなるものについて説明したが、本発明の筒状容器の水切り保持構造はこれに限られず、例えば円弧部３に相当する部位は、コ字状であってもよいし、また逆Ｕ字部５は逆Ｖ字状であってもよい。
また、線材を屈曲して一体的に形成されるものに限られず、例えば一対の逆Ｕ字部５の先端側辺１１の下端を樹脂製の部材で連結するようにしてもよい。
また、板材のようなものを打ち抜いて製造してもよい。
また、上記の説明では、本発明の一対の屈曲部として、一対の逆Ｕ字部５のように各逆Ｕ字部５が同形のものを例に挙げたが、本発明に係る一対の屈曲部は各屈曲部が同形である必要はなく、また、一対の屈曲部の少なくとも一方がペットボトルのような狭口の筒状容器に挿入可能であればよい。
【００２７】
［実施の形態２］
実施の形態１に係る筒状容器の水切り保持構造１を備えた水切り具としての水切りスタンド２１について、図５〜図８に基づいて説明する。
水切りスタンド２１は、図５に示すように、線材によって構成されており、複数の水切り保持構造１を有している。
【００２８】
上述したとおり、水切り保持構造１の下部は取付支持部になっており、様々な形状にすることができる。そこで、水切り保持構造１を水切りスタンド２１に適用させるにあたって、図６に示すように、２つの水切り保持構造１を、背面同士を対向配置して、下部同士を横方向に延びる連結部２５ａによって連結させた形状にしている（水切り保持部材２５）。
水切り保持部材２５における先端側辺１１の屈曲角度θは、上記の実施の形態１の図３で説明したのと同様に、160°以上180°未満に設定されている。
【００２９】
水切りスタンド２１は、線材を平面視で長方形状になるように屈曲してなる上底枠線部２７と、上底枠線部２７の下方に上底枠線部２７と同形の下底枠線部２８とを有している。上底枠線部２７と下底枠線部２８は、所定の間隔をあけて配置されている（図５、図７および図８参照）。
上側の枠線部２７の上面には、水切り保持部材２５が、枠線部２７の長辺方向に３つ並べて接合されている。従って水切りスタンド２１は、水切り保持構造１を３つ並べたものを１列とすると、水切り保持構造１を２列（水切り保持構造１を６つ）有していることになる。
【００３０】
水切り保持構造１の列同士の間には、図５および図８に示すように、線材を屈曲してなる矩形状の側枠線部２９が２つ、所定の間隔をあけて縦向きに配置されている。各側枠線部２９は下部で上底枠線部２７及び下底枠線部２８に接合されている。
各側枠線部２９の上辺は、各水切り保持構造１よりも上方に延出しており、コップを支持した状態のままで水切りスタンド２１を持ち運ぶ際の持ち手部２９ａになっている。
また、各側枠線部２９の下端部は、外方に向かって湾曲してなり水切りスタンド２１を載置面に安定的に支える脚部２９ｂになっている。
【００３１】
各側枠線部２９と各水切り保持部材２５の連結部２５ａは、まな板７１が縦向きに挿入されて、まな板７１を保持するまな板保持部３１を構成している。
まな板保持部３１にまな板７１が挿入されると、まな板７１の下側になっている側面が、連結部２５ａの上面によって支持されるとともに、まな板７１の調理面が側枠線部２９によって支持されることによってまな板７１が安定的に保持される。
各側枠線部２９の上部は、図３に示すように、外方に屈曲しており、まな板保持部３１にまな板７１を挿入しやすくなっている。
【００３２】
以上のように構成された水切りスタンド２１の使用方法について、図９〜図１１に基づいて説明する。
図９は、コップ４１とペットボトル４３を倒立保持している状態の一例を図示したものである。図９中手前中央の水切り保持構造１は、コップ４１に一対の逆Ｕ字部５が挿入されてコップ４１を倒立保持している。図９中手前右側の水切り保持構造１は、片方の逆Ｕ字部５がペットボトル４３の口部に挿入されてペットボトル４３を倒立保持している。
図１０は、コップ４１を倒立保持している状態を拡大して図示したものである。また、図１１は、ペットボトル４３を倒立保持している状態を拡大して図示したものである。
【００３３】
図１０に示すように、コップ４１の深さは逆Ｕ字部５の上端から基部側辺９の下端までの長さＬ1よりも浅いため、コップ４１の底面が逆Ｕ字部５の上端に当接して、コップ４１は口部を浮かした状態で支持されている。また、コップ４１の内壁面が基部側辺９に沿うように当接している。このようにして、コップ４１は安定的に倒立保持されている。
【００３４】
また、図９および図１０に示すように、コップ４１が倒立保持されてもコップ４１の口は塞がれることがないので、コップ４１内からの水滴がどこにも溜まることなく下方に落ちて、また通気が妨げられることがない。従って、コップ４１の水切りおよび乾燥が良好に行われる。
【００３５】
逆Ｕ字部５の先端側辺１１は屈曲角度θが160°以上180°未満になるように屈曲されているため、図１１に示すように、ペットボトル４３を押し下げて逆Ｕ字部５を奥深くに挿入することで、先端側辺１１と基部側辺９によってペットボトル４３の口部が内側から外側に向かって押圧されて、ペットボトル４３を強固に保持している。
【００３６】
また、コップ４１の場合と同様に、ペットボトル４３の口は塞がれることがないので、内部の水滴はどこにも溜まることなく下方に落ちて、また通気が妨げられることがなく、ペットボトル４３の水切り乾燥が良好に行われる（図９および図１１参照）。
【００３７】
［実施の形態３］
上記の説明は、水切り保持構造１を適用した水切り具の一例として水切りスタンド２１について説明したが、他の例として水切り籠５１について、図１２〜図１６に基づいて説明する。
【００３８】
水切り籠５１は、図１２に示すように、線材によって構成されてなり、底部と、底部を囲んで立設する４つの側部（第１側部５１ａ〜第４側部５１ｄ）からなる。
水切り籠５１に水切り保持構造１を適用するにあたって、水切り保持構造１の下部形状は、図１３（第１水切り保持部材５３）および図１４（第２水切り保持部材５５）に示すような２種類の形状になっている。
【００３９】
具体的には、第１水切り保持部材５３の下部は、基部側辺９の下端から横方向に屈曲する第１屈曲部５３ａと、第１屈曲部５３ａから横方向に所定の長さ延びる横線部５３ｂと、横線部５３ｂの先端を上方に屈曲してなる第２屈曲部５３ｃとを有する形状になっている。
第２水切り保持部材５５の下部は、基部側辺９の下端から横方向に屈曲する第１屈曲部５５ａと、第１屈曲部５５ａから横方向に所定の長さ延びる横線部５５ｂと、横線部５５ｂの先端を上方に屈曲してなる第２屈曲部５５ｃと（ここまでは第１水切り保持部材５３と同形）、第２屈曲部５５ｃからさらに上方に所定の長さ延びる傾斜線部５５ｄを有する形状になっている。
第１水切り保持部材５３および第２水切り保持部材５５の先端側辺１１の屈曲角度θは180°に設定されており、先端側辺１１と基部側辺９は平行になっている。
【００４０】
水切り籠５１は、このような第１水切り保持部材５３と第２水切り保持部材５５を一つずつ有しており、そのため、水切り籠５１には図１２に示すように、２つの水切り保持構造１が設けられている。各水切り保持構造１が設けられている側部が第１側部５１ａである。
【００４１】
水切り籠５１は、平面視で長方形状の枠線からなる下枠線部５７（図１５参照）と、下枠線部５７の上方に設けられる上枠線部５９と、略門型に屈曲された線材からなり、下枠線部５７の各短辺側に配置されて対向する一対の門型線部６１とを有している。
門型線部６１の上辺部は、下枠線部５７の短辺と平行かつ上枠線部５９の上方に配置されており、該上辺部は水切り籠５１を持ち運ぶ際の持ち手部６１ａになっている。
門型線部６１の下端部は、底部より下方に延出して略Ｕ字状に折り返されており、底部の四隅を支える脚部６１ｂになっている。脚部６１ｂを有することにより、水切り籠５１の底部は設置面に直接当接しないようになっている。
【００４２】
下枠線部５７内には、図１２および図１６に示すように、第１水切り保持部材５３の下部と第２水切り保持部材５５の下部が入り込んでいる。具体的には、第１水切り保持部材５３の横線部５３ｂと第２水切り保持部材５５の横線部５５ｂは、下枠線部５７の短辺と平行になるように配置されている。そして、第１水切り保持部材５３は第１屈曲部５３ａの上側と第２屈曲部５３ｃの上側とで下枠線部５７と接合されている。第２水切り保持部材５５も同様に、第１屈曲部５５ａの上側と第２屈曲部５５ｃの上側とで下枠線部５７と接合されている。
以上のようにして、第１水切り保持部材５３の下部と第２水切り保持部材５５の下部は、水切り籠５１の底部の一部を構成している。
【００４３】
また、水切り籠５１の底部には、第１水切り保持部材５３の第１屈曲部５３ａから第２屈曲部５３ｃまでの形状と同形の底線材６３が、下枠線部５７の短辺と平行に下枠線部５７の各長辺に亘るように架設されている。
以上のように、水切り籠５１の底部は、第１水切り保持部材５３の下部、第２水切り保持部材５５の下部および底線材６３とで構成されている（図１２、図１５および図１６参照）。
【００４４】
また、第１水切り保持部材５３と第２水切り保持部材５５を上記のように配置することにより、各水切り保持構造１は下枠線部５７の長辺から立設して第１側部５１ａの一部を形成している。
なお、上枠線部５９は、第２側部５１ｂ、第３側部５１ｃ、第４側部５１ｄにおいては水切り籠５１の最上縁部を形成しているが、第１側部５１ａにおいて上枠線部５９は下方に屈曲して下枠線部５７に近接している形状になっている。このような形状にすることによって、上枠線部５９は、各一対の逆Ｕ字部５をコップ等に挿入する際、および逆Ｕ字部５をペットボトル内に挿入する際に邪魔にならない。
【００４５】
なお、各水切り保持構造１の先端側辺１１の屈曲角度θは180°に設定されており、基部側辺９と先端側辺１１は平行になっている。そのため、逆Ｕ字部５がペットボトル内に奥深く挿入可能になっている。
また、基部側辺９を外方に向けて傾斜させ、かつ先端側辺１１を基部側辺９に平行になるようにすることで、複数の水切り籠５１を挿入状態で重ねることができ、かつ重ねたときに先端側辺１１が邪魔になることがない。逆に言えば、先端側辺１１を基部側辺９に平行になるようにしているので、複数の水切り籠５１を挿入状態で重ねることができる。なお、屈曲角度θは180°より大きくてもよい。すなわち、屈曲角度θは180°以上にすることで、複数の水切り籠５１を挿入状態で重ねることができ、かつ重ねたときに先端側辺１１が邪魔になることがない。
【００４６】
第２側部５１ｂは、図１２に示すように、第１側部５１ａの対面側に立設する側部である。第２側部５１ｂには、第２水切り保持部材５５の傾斜線部５５ｄが下枠線部５７と上枠線部５９とに亘るように架設されている。さらに、第２側部５１ｂには、縦方向に延びる複数の縦線材６５（第２水切り保持部材５５の傾斜線部５５ｄと同形）が、第２水切り保持部材５５の傾斜線部５５ｄに平行に架設されている（図１２および図１５参照）。保持部材５５の傾斜線部５５ｄと各縦線材６５は所定の間隔になるように架設されている。上記のようにして第２側部５１ｂが形成されている。
【００４７】
第３側部５１ｃと第４側部５１ｄは、図１２に示すように、底部（下枠線部５７）の短辺側に立設する側部である。第３側部５１ｃと第４側部５１ｄは同一の形状からなるため、第３側部５１ｃを例に挙げて説明する。各図においては同じ部材については同一の符号を付している。
第３側部５１ｃは、図１２、図１５および図１６に示すように、下枠線部５７と上枠線部５９との間に横方向に延びる複数の線材からなり該各線材の両端が門型線部６１に接合する横線材６７と、これら横線材６７に直交する線材からなり、下枠線部５７、上枠線部５９および横線材６７に接合されて第３側部５１ｃを補強する補強線材６９とを有している。
【００４８】
なお、第４側部５１ｄ側の水切り籠５１の底部には、コ字状に屈曲された線材からなり、まな板７１の側面を支持するためのまな板支持部材７３（図１６参照）が着脱可能に取り付けられる取付部７５が設けられている。取付部７５にまな板支持部材７３が取り付けられると、まな板支持部材７３と第４側部５１ｄ側の持ち手部６１ａとでまな板保持部７７になる。まな板保持部７７にまな板７１が縦向きに挿入されると、図１６に示すように、まな板７１の下側になっている側面がまな板支持部７３によって支持されて、調理面が持ち手部６１ａによって支持されることによって、まな板７１が保持される。
【００４９】
以上のように構成された水切り籠５１の内部には、食器等が収納されて食器等の水切りが行われる。第１側部５１ａにおいてはコップやペットボトル等が倒立保持されて水切りが行われる。
【００５０】
なお、上記の説明では、水切り保持構造１は第１側部５１ａに２つ設けられているものとしたが、水切り保持構造１の数はこれに限られない。図１７に３つの水切り保持構造１が設けられている例（水切り籠８１）を示す。水切り籠８１は、第１水切り保持部材５３を２つ、第２水切り保持部材５５を１つ有している。この場合、底線材６３や縦線材６５の数は水切り籠５１よりも増やす。水切り籠８１のその他の構成は、水切り籠５１と同様である。
また、上記の説明では、第１側部５１ａのみに水切り保持構造１を設けた例を示したが、第２側部５１ｂ以外の面（例えば第２側部５１ｂ）に水切り保持構造１を設けるようにしてもよい。
【００５１】
なお、参考のために水切りスタンド２１の六面図を図１８に示す。図１８において、（ａ）が正面図、（ｂ）が右側面図、（ｃ）が左側面図、（ｄ）が平面図、（ｅ）が底面図、（ｆ）が背面図である。
また、同様に図１９に水切り籠５１の六面図を示す。図１９においても図１８と同様に、（ａ）が正面図、（ｂ）が右側面図、（ｃ）が左側面図、（ｄ）が平面図、（ｅ）が底面図、（ｆ）が背面図である。
【符号の説明】
【００５２】
１  水切り保持構造
３  円弧部
５  逆Ｕ字部
９  基端側辺
１１  先端側辺
２１  水切りスタンド
２５  水切り保持部材
２５ａ  連結部
２７  上底枠線部
２８  下底枠線部
２９  側枠線部
２９ａ  持ち手部
２９ｂ  脚部
３１  まな板保持部
４１  コップ
４３  ペットボトル
５１  水切り籠
５１ａ  第１側部
５１ｂ  第２側部
５１ｃ  第３側部
５１ｄ  第４側部
５３  第１水切り保持部材
５３ａ  第１屈曲部
５３ｂ  横線部
５３ｃ  第２屈曲部
５５  第２水切り保持部材
５５ａ  第１屈曲部
５５ｂ  横線部
５５ｃ  第２屈曲部
５５ｄ  傾斜線部
５７  下枠線部
５９  上枠線部
６１  門型線部
６１ａ  持ち手部
６１ｂ  脚部
６３  底線材
６５  縦線材
６７  横線材
６９  補強線材
７１  まな板
７３  まな板支持部材
７５  取付部
７７  まな板保持部
８１  水切り籠
【図１】
2014104103.tif 000003
【図２】
2014104103.tif 000004
【図３】
2014104103.tif 000005
【図４】
2014104103.tif 000006
【図５】
2014104103.tif 000007
【図６】
2014104103.tif 000008
【図７】
2014104103.tif 000009
【図８】
2014104103.tif 000010
【図１２】
2014104103.tif 000011
【図１３】
2014104103.tif 000012
【図１４】
2014104103.tif 000013
【図１５】
2014104103.tif 000014
【図１６】
2014104103.tif 000015
【図１８】
2014104103.tif 000016
【図１９】
2014104103.tif 000017
【図９】
2014104103.tif 000018
【図１０】
2014104103.tif 000019
【図１１】
2014104103.tif 000020
【図１７】
2014104103.tif 000021